(57)【要約】【課題】ランフラット走行時のバックリング抑制機能と通常走行時の優れた乗心地性能を、高度にバランスよく両立させて有するランフラットタイヤを提供すること。【解決手段】左右のサイドウォール部にタイヤ幅方向横断面が三日月状のサイド補強層を有し、かつ、タイヤ赤道面で分割される領域にそれぞれ少なくとも１本以上の周方向主溝を有するランフラットタイヤにおいて、タイヤ径方向に凸状をなして湾曲し、その湾曲の曲率半径が最外ベルト層の曲率半径よりも小さい補強層を、該凸状補強層の頂点が前記主溝の幅内に位置するとともに、前記各領域の少なくとも１本ずつの主溝の下でかつベルト層よりも径方向外側に位置するようにして局所的に配置し、かつ、個々の該凸状補強層の全体が含まれるように、該凸状補強層の周囲を、該タイヤのＣＡＰゴムよりもゴム硬度Ｈｓが小さいゴムで覆ってなるランフラットタイヤ。【選択図】図１
2013233866.tif 000002
【特許請求の範囲】
【請求項１】
左右のサイドウォール部にタイヤ幅方向横断面が三日月状のサイド補強層を有し、かつ、タイヤ赤道面で分割される領域にそれぞれ少なくとも１本以上の周方向主溝を有するランフラットタイヤにおいて、タイヤ径方向に凸状をなして湾曲し、その湾曲の曲率半径が最外ベルト層の曲率半径よりも小さい補強層を、該凸状補強層の頂点が前記主溝の幅内に位置するとともに、前記各領域の少なくとも１本ずつの主溝の下でかつベルト層よりも径方向外側に位置するようにして局所的に配置し、かつ、個々の該凸状補強層の全体が含まれるように、該凸状補強層の周囲を、該タイヤのＣＡＰゴムよりもゴム硬度Ｈｓが小さいゴムで覆ってなることを特徴とするランフラットタイヤ。
【請求項２】
前記凸状補強層が、タイヤ周方向に対して傾斜した１本のスチールワイヤもしくは複数本のスチールワイヤまたはスチールコードを撚り合わせたスチールコードから構成されてなることを特徴とする請求項１記載のランフラットタイヤ。
【請求項３】
前記凸状補強層が、スチール製の板状部材からなることを特徴とする請求項１記載のランフラットタイヤ。
【請求項４】
前記凸状補強層の曲率半径をＲ、最外ベルト層の曲率半径をＲｖとすると、以下の（ａ）式の関係を有することを特徴とする請求項１〜３のいずれかに記載のランフラットタイヤ。
Ｒ＜Ｒｖ／１０    ………（ａ）式
【請求項５】
前記凸状補強層の周囲を覆っているゴムのゴム硬度Ｈｓが、前記ＣＡＰゴムのゴム硬度Ｈｓよりも５〜３０小さいことを特徴とする請求項１〜４のいずれかに記載のランフラットタイヤ。
【請求項６】
前記凸状補強層の幅Ｌ１が、主溝幅Ｗに対して、以下の（ｂ）式の関係を有し、かつ、該凸状補強層の端点どうしを結んだ直線状位置でのゴム層の幅Ｌ２が以下の（ｃ）式の関係を有することを特徴とする請求項１〜５のいずれかに記載のランフラットタイヤ。
０．８Ｗ≦Ｌ１≦４Ｗ    ………（ｂ）式
１．２Ｌ１≦Ｌ２        ………（ｃ）式
【請求項７】
前記凸状補強層が複数個あり、該複数個の凸状補強層の間で、
（イ）該凸状補強層の形状および／または該凸状補強層の周囲を覆う前記ゴムの形状が相違している、
あるいは、
（ロ）該ゴムのＪＩＳ硬度Ｈｓが相違している、
ことを特徴とする請求項１〜６のいずれかに記載のランフラットタイヤ。
【発明の詳細な説明】
【技術分野】
【０００１】
本発明はランフラットタイヤに関する。
【０００２】
更に詳しくは、ランフラット走行時のバックリング発生が抑制されてランフラット耐久性が向上されているとともに、通常走行時には良好な乗心地性を有するランフラットタイヤに関する。
【背景技術】
【０００３】
従来から、ランフラット用空気入りタイヤとして、サイドウォール部に硬質ゴムからなる断面三日月形状の補強ゴムを配置することにより、タイヤがパンクしたときには、主としてサイドウォール部とショルダー部で荷重を支えることで、所定の距離を安全走行できるようにした、所謂サイド補強型のランフラットタイヤが提案されている（特許文献１−２）。
【０００４】
このようなサイド補強型のランフラットタイヤにおいては、ランフラット走行時に、サイドウォール部で荷重を支えるため、トレッドのセンター部が浮き上がるバックリングが発生しやすいという問題がある。
【０００５】
このバックリングが発生すると、トレッドの両ショルダー部において接地圧が著しく高くなり、発熱と摩耗が一気に促進されるため、ランフラット耐久性が著しく低下してしまうという問題があった。このバックリング現象は、特にタイヤショルダー部に近い周方向主溝位置を起点にして発生しやすい。
【０００６】
このバックリング発生による問題を解決するために、サイドウォール部に横断面形状が三日月状をなすゴム補強層を備えるとともに、トレッドゴムを特定の体積弾性率値のゴムとするとともに、ベルト外周側にバックリング抑制のためにベルト層の２倍以上の圧縮剛性を有するベルト付加層を配設するという提案がされている（特許文献３）。
【０００７】
しかし、本発明者らの知見によれば、特許文献３に記載の提案のものでは、ベルト外周側に踏面全体にわたり高圧縮剛性のベルト付加層を設けるというものであることから、十分に高いバックリング抑制効果を必要な要部箇所で得ることは難しく、また、全体としての乗心地も良くはないものであった。すなわち、良好なバックリング抑制と乗心地の双方を高度にかつバランス良く得ることは実現できていないものであった。
【０００８】
また、主溝を有するキャップゴムと該キャップゴムの内周側に位置するベースゴムとを有するトレッド部と、該トレッド部の両側に位置し、サイド補強ゴム層を有する一対のサイドウォール部とを備えたサイド補強式ランフラットタイヤにおいて、該主溝より内周側かつ該主溝の近傍に、バックリングを抑制するバックリング抑制部材を備え、そのバックリング抑制部材の硬度をキャップゴムおよびベースゴムの硬度より高く設定するという提案がされている（特許文献４）。
【０００９】
しかし、本発明者らの知見によれば、特許文献４に記載の提案のものも、十分に高いバックリング抑制効果を得ることは難しく、また乗心地も良くはないものであり、バックリング抑制と乗心地の双方を一定レベルでは満たすものの、双方がバランス良くかつ十分高度に得られているとは言い難く、さらに改善が求められるものであった。特に、ランフラット耐久性の向上をめざして、単にベルト部の曲げ剛性を高めるというような改良だけでは、通常走行時の乗心地の著しい悪化を避けられないものであった。
【先行技術文献】
【特許文献】
【００１０】
【特許文献１】特開２０１０−１７９８５１号公報
【特許文献２】特開２０１０−２６４９５６号公報
【特許文献３】国際公開第２００３／０２４７２７号
【特許文献４】特開２００６−１２３８２９号公報
【発明の概要】
【発明が解決しようとする課題】
【００１１】
本発明の目的は、上述したような点に鑑み、ランフラット走行時のバックリング抑制機能と通常走行時の優れた乗心地性能を、高度にバランスよく両立させて有するランフラットタイヤを提供することにある。
【課題を解決するための手段】
【００１２】
上述した目的を達成する本発明のランフラットタイヤは、以下の（１）の構成を有する。
（１）左右のサイドウォール部にタイヤ幅方向横断面が三日月状のサイド補強層を有し、かつ、タイヤ赤道面で分割される領域にそれぞれ少なくとも１本以上の周方向主溝を有するランフラットタイヤにおいて、タイヤ径方向に凸状をなして湾曲し、その湾曲の曲率半径が最外ベルト層の曲率半径よりも小さい補強層を、該凸状補強層の頂点が前記主溝の幅内に位置するとともに、前記各領域の少なくとも１本ずつの主溝の下でかつベルト層よりも径方向外側に位置するようにして局所的に配置し、かつ、個々の該凸状補強層の全体が含まれるように、該凸状補強層の周囲を、該タイヤのＣＡＰゴムよりもゴム硬度Ｈｓが小さいゴムで覆ってなることを特徴とするランフラットタイヤ。
【００１３】
また、かかる本発明のランフラットタイヤにおいて、好ましくは、以下の（２）〜（７）のいずれかであることが好ましい。
（２）前記凸状補強層が、タイヤ周方向に対して傾斜した１本のスチールワイヤもしくは複数本のスチールワイヤまたはスチールコードを撚り合わせたスチールコードから構成されてなることを特徴とする上記（１）記載のランフラットタイヤ。
（３）前記凸状補強層が、スチール製の板状部材からなることを特徴とする上記（１）記載のランフラットタイヤ。
（４）前記凸状補強層の曲率半径をＲ、最外ベルト層の曲率半径をＲｖとすると、以下の（ａ）式の関係を有することを特徴とする上記（１）〜（３）のいずれかに記載のランフラットタイヤ。
Ｒ＜Ｒｖ／１０    ………（ａ）式
（５）前記凸状補強層の周囲を覆っているゴムのゴム硬度Ｈｓが、前記ＣＡＰゴムのゴム硬度Ｈｓよりも５〜３０小さいことを特徴とする上記（１）〜（４）のいずれかに記載のランフラットタイヤ。
（６）前記凸状補強層の幅Ｌ１が、主溝幅Ｗに対して、以下の（ｂ）式の関係を有し、かつ、該凸状補強層の端点どうしを結んだ直線状位置でのゴム層の幅Ｌ２が以下の（ｃ）式の関係を有することを特徴とする上記（１）〜（５）のいずれかに記載のランフラットタイヤ。
０．８Ｗ≦Ｌ１≦４Ｗ    ………（ｂ）式
１．２Ｌ１≦Ｌ２        ………（ｃ）式
（７）前記凸状補強層が複数個あり、該複数個の凸状補強層の間で、
（イ）該凸状補強層の形状および／または該凸状補強層の周囲を覆う前記ゴムの形状が相違している、
あるいは、
（ロ）該ゴムのＪＩＳ硬度Ｈｓが相違している、
ことを特徴とする上記（１）〜（６）のいずれかに記載のランフラットタイヤ。
【発明の効果】
【００１４】
請求項１にかかる本発明によれば、ランフラット走行時のバックリング抑制機能と通常走行時の優れた乗心地性能という両特性を、高度にバランスよく両立させて有するランフラットタイヤを提供することができる。
【００１５】
請求項２−７にかかる本発明によれば、上述した請求項１の本発明にかかる効果を、より高度にかつ明確に発揮することのできるランフラットタイヤを提供することができる。
【図面の簡単な説明】
【００１６】
【図１】本発明にかかるランフラットタイヤの１例を示すタイヤ子午線方向断面図である。
【図２】（ａ）〜（ｃ）は、本発明にかかるランフラットタイヤにおける凸状補強層の機能を説明するモデル図である。
【図３】本発明にかかるランフラットタイヤにおける凸状補強層と、タイヤ周方向主溝および該凸状補強層を覆うゴムとの位置関係等を説明する概略モデル図である。
【図４】本発明にかかるランフラットタイヤにおける凸状補強層の形状の例をモデル的に示した概略斜視図である。
【図５】（ａ）〜（ｂ）は、それぞれ本発明にかかるランフラットタイヤにおける凸状補強層の形状の例をモデル的に示したタイヤ子午線方向断面図であり、特に複数個の凸状補強層の間で、その形状および／または該凸状補強層の周囲を覆うゴムの形状が相違しているものの例を示したものである。
【発明を実施するための形態】
【００１７】
以下、更に詳しく本発明のランフラットタイヤについて、説明する。
【００１８】
図１は、本発明の空気入りランフラットタイヤの形態の１例を示したタイヤ子午線方向断面図である。ランフラットタイヤＴは、トレッド部１、サイドウォール部２、ビード部３を有していて、左右一対のビードコア４間にカーカス層５が装架され、そのカーカス層５の端部はビードコア４の廻りにタイヤ内側から外側にビードフィラー６を包み込むように折り返されている。トレッド部１におけるカーカス層５の外周側には、少なくとも２層のベルト層７、８が配置されている。ベルト層７、８は、たとえば、タイヤ周方向に対して２０°〜４０°傾斜する複数本のスチールコードからなり、かつ層間でスチールコードが互いに交差するように配置されている構成などが採用される。該ベルト層７、８の外周側には有機繊維コードをタイヤ周方向に巻回してなるベルトカバー層（図示せず）が配置されていてもよい。
【００１９】
本発明のランフラットタイヤＴは、左右のサイドウォール部２にタイヤ幅方向横断面が三日月状のサイド補強層９を有し、かつタイヤ赤道面Ｃで分割される領域にそれぞれ少なくとも１本以上の周方向主溝１０を有するものであり、さらに、タイヤ径方向に凸状をなして湾曲し、その湾曲の曲率半径が最外ベルト層７の曲率半径よりも小さい凸状補強層１１を、該凸状補強層１１の頂点Ｐが前記主溝１０の幅内に位置するとともに、前記各領域の少なくとも１本ずつの主溝１０の下でかつベルト層７、８よりも径方向外側に位置するようにして局所的に配置させて、かつ、個々の該凸状補強層１１の全体が含まれるように、該凸状補強層１１の周囲を、該タイヤのＣＡＰゴムよりもゴム硬度Ｈｓが小さいゴム１２で覆ってなることを特徴とする。
【００２０】
かかる構成の本発明のランフラットタイヤによれば、図２（ａ）〜（ｃ）にモデル図を示したように、ランフラット状態でバックリングが起こる起点となりやすい主溝１０（図２では図示せず）の下に凸状補強層１１が配置されていることにより、バックリングさせようとするタイヤ径方向でタイヤ中心軸方向に向かう圧縮応力（図２（ａ）のＦ１）が働いたときに、該凸状補強層１１が元の曲率半径に戻ろうとする復元力（図２（ｂ）のＦ２）が働き、バックリングを良好に抑制することができる。図２（ｃ）は、上述した圧縮応力Ｆ１および復元力Ｆ２のいずれもほとんど作用していない通常状態を示している。
【００２１】
上記のように、凸状補強層１１がランフラット状態時にバックリング発生を抑制するように作用する一方で、該凸状補強層１１はその周りがＣＡＰゴムよりもＪＩＳゴム硬度Ｈｓが小さいゴム１２で覆われていることにより、トレッド部１の剛性を適度に緩和させることができる。その結果、通常時には良好な乗心地性能を発揮することができるのである。
【００２２】
図１の例においては、タイヤ赤道面Ｃで分割される領域にそれぞれ主溝１０を２本ずつ設けている例を示しているが、凸状補強層１１を配置しているのは、各１本の主溝１０の下だけである。このように、本発明を実施するにあたっては、全ての主溝１０の下に凸状補強層１１を設ける必要はなく、各領域で少なくとも１本の主溝１０の下に設けることによって本発明の効果を得ることができる。
【００２３】
凸状補強層１１は、タイヤ幅方向の全幅にわたって連続して配設すると、トレッド部の剛性を著しく大きくさせ通常時の乗心地を低下させるので、タイヤ幅方向で、局所的に配置させること、かつ凸状補強層１１の頂点Ｐがバックリングが起こる起点となりやすい主溝１０の下でかつ該主溝の幅Ｗ内に位置するように配設することが重要である。該位置において、バックリングさせようとするタイヤ径方向でかつタイヤ中心軸方向に向かう圧縮応力（図２のＦ１）が他の位置と比較して大きいので、該位置に凸状補強層１１の頂点Ｐを位置させるようにして局所的に配設することが本発明の効果を大きく得ることができるからである。該凸状補強層１１は、タイヤ周方向には全周にわたり連続して存在することがよい。図３はそうした位置関係等を示したものである。
【００２４】
また、個々の該凸状補強層１１は、その全体が含まれるように、該凸状補強層１１の周囲を該タイヤのＣＡＰゴムよりもゴム硬度Ｈｓが小さいゴム１２で覆われていることが、良好な乗心地を達成する上で重要である。ここで、「ゴム１２で覆われている」とは、凸状補強層１１が露出することなく、ゴム１２に埋設されている状態をいう。露出をしているとその部分の存在によって良好な乗心地を実現することが難しくなる。
【００２５】
凸状補強層１１は、タイヤ周方向に対して傾斜した１本のスチールワイヤもしくは複数本のスチールワイヤまたはスチールコードを撚り合わせたスチールコードから構成されているものを用いることが好ましい。スチール製のワイヤもしくはコードを使用することにより高い補強効果を得ることができるからである。
【００２６】
凸状補強層１１を、スチールワイヤあるいはスチールコードで構成する場合、該スチールワイヤあるいは該スチールコードに、タイヤ周方向に対して傾斜角を持たせて配列することによって該凸状補強層１１を形成すると、面外曲げ剛性をより大きくすることができ、補強効果をさらに向上させることができるので好ましい。図４（ａ）は、スチールワイヤあるいはスチールコード１３をタイヤ周方向Ｄに対して平行に（傾斜させずに）凸状補強層１１を構成した場合の構造をモデル的に示したものである。図４（ｂ）は、スチールワイヤあるいはスチールコード１３をタイヤ周方向Ｄに対して傾斜させて凸状補強層１１を構成した場合の構造をモデル的に示したものである。面外曲げ剛性をより大きくすることができ、補強効果をさらに向上させることができる。この（ｂ）の場合が、面外曲げ剛性をより大きくすることができ補強効果をさらに向上させることができるので好ましい。スチールワイヤあるいはスチールコードを使用して凸状補強層１１を形成する場合には、ゴムを含浸させて湾曲した板状に成形をするのがよい。
【００２７】
また、ワイヤやコードを用いずに、スチール製の板状部材を用いて凸状補強層１１を構成することもできる。板状の部材を使用することによって補強効果をより高めることが可能であり、また、厚さや形状など成形の自由さが大きいという利点がある。
【００２８】
また、タイヤ子午線方向断面上で、凸状補強層１１の曲率半径をＲ、最外ベルト層（図１で７）の曲率半径をＲｖとすると、以下の（ａ）式の関係を有するように凸状補強層を形成するのが好ましい。凸状補強層１１の曲率を、最外ベルト層の曲率半径よりも（ａ）式の関係を満たす範囲内で小さくすることにより、補強効果をより顕著にかつ大きくでき、優れたバックリング抑制効果を得ることができるからである。
Ｒ＜Ｒｖ／１０    ………（ａ）式
【００２９】
凸状補強層１１は、その全体が含まれるように、凸状補強層１１の周囲を該タイヤのＣＡＰゴムよりもゴム硬度Ｈｓが小さいゴム１２で覆われていることが、良好な乗心地を達成する上で重要であるが、ゴム１２のゴム硬度Ｈｓは、ＣＡＰゴムのゴム硬度Ｈｓよりも５〜３０小さいことが好ましい。ここで、ゴム硬度Ｈｓは、ＪＩＳゴム硬度Ｈｓである。
【００３０】
凸状補強層の周囲を覆っているゴム１２のゴム硬度ＨｓをＣＡＰゴムよりも柔らかくすることは、路面からのショック緩和性を良化する上で重要であり、また、過度にＣＡＰゴムよりも柔らかすぎる場合は、タイヤのトレッド性能を発揮できなくなることから、差は３０以下であることが好ましい。
【００３１】
また、本発明者らの知見によれば、凸状補強層１１の幅Ｌ１が、主溝幅Ｗに対して以下の（ｂ）式の関係を有し、かつ凸状補強層１１の端点どうしを結んだ直線状の位置でのゴム層の幅Ｌ２と以下の（ｃ）式の関係を有するものであることが、本発明の効果を高く得る上で好ましい。
０．８Ｗ≦Ｌ１≦４Ｗ    ………（ｂ）式
１．２Ｌ１≦Ｌ２        ………（ｃ）式
【００３２】
凸状補強層１１の幅Ｌ１が、上記範囲未満であると、十分なバックリング抑制効果が得られず、また、上記範囲よりも大きいとタイヤ重量が増加しすぎてしまうので好ましくない。また、Ｌ２が上記範囲未満になると、通常走行時にも凸状補強層１１の曲げ剛性が過度に働いて、乗心地性能が悪化してしまう方向であり好ましくない。
【００３３】
一般的に、凸状補強層１１の幅Ｌ１は１０〜４０ｍｍの範囲とするのが好ましい。また、凸状補強層１１の厚さは、０．８〜１．５ｍｍの範囲とするのが好ましい。
【００３４】
また、ゴム層１２の形状は、上記の（ｂ）式、（ｃ）式を満たせば、タイヤ踏面や溝底面に一部が露出していてもよく、特に限定はされない。
【００３５】
さらに、好ましくは、凸状補強層１１が複数個あり、該複数個の凸状補強層１１の間で、
（イ）該凸状補強層の形状および／または該凸状補強層の周囲を覆う前記ゴムの形状が相違している、
あるいは、
（ロ）該ゴムのＪＩＳ硬度Ｈｓが相違している、
ことが好ましい。
【００３６】
特に、キャンバー角度のついた車両に装着されて使用される場合には、車両内側に位置するタイヤの方がバックリングが発生しやすいものである。そのため、車両装着時のタイヤ内側と外側とで、凸状補強層の幅、曲率半径、コードの傾斜角度、ゴム層の幅・厚さ、ゴム層のゴム硬度Ｈｓを変えて面外曲げ剛性を変えることにより、よりバックリングが発生しやすいタイヤにより有効に本発明の効果を与えるようにすることができる。
【００３７】
また、凸状補強層１１の頂点Ｐからの左右幅を非対称（左右長さが等しくない形状）にしたり、タイヤ内に複数配置された凸状補強層１１どうしをタイヤ赤道面に対して左右非対称にすること等によっても、同様な車両装着時のタイヤ内側と外側とで差異を有するようにして、全体でバランス良く、より有効に本発明の効果を与えるようにすることができる。
【００３８】
一般に、凸状補強層の補強効果をより大きなものとして得るには、上記した変更要素で言うと、凸状補強層の幅はより広く、曲率半径はより小さく、ワイヤもしくはコードのタイヤ周方向に対する傾斜角度はより大きく、ゴム層１２の幅・厚さはより小さく、ゴム層１２のゴム硬度Ｈｓはより高くすることにより得ることができる。
【００３９】
図５（ａ）〜（ｂ）は、それぞれ、特に複数個の凸状補強層１１Ａ、１１Ｂの間で、その形状が相違しているものの例を示したものである。
【実施例】
【００４０】
以下、実施例により本発明のランフラットタイヤについて具体的に説明をする。
【００４１】
タイヤサイズ２３５／５０Ｒ１８、リムサイズ１８ｘ７Ｊの空気入りランフラットタイヤを用いて、評価車両ＲＡＶ４に装着し、空気圧２３０ｋＰａ（通常走行時想定）、同５０ｋＰａ（ランフラット走行時想定）として、下記の方法により、乗心地性能とバックリング抑制性能について評価をした。
【００４２】
（１）乗心地性能：
空気圧を２３０ｋＰａに設定し、特殊試験路を時速５０ｋｍで走行したときの乗心地を官能評価により評価した。評価は、従来のランフラットタイヤ（凸状補強層が無いもの）の乗心地を１００としたときの指数で表した。数値が大きい方が乗心地が良好であることを表している。
【００４３】
（２）バックリング抑制性能：
静的タイヤ接地形状計測器を用いて測定をした。空気圧を５０ｋＰａに設定し、踏面の中央部とバックリング発生部との接地圧差を求め、従来品の場合を１００としたときの指数で表した。接地圧差は大きいほど、バックリングが激しく大であることに対応しているものであり、接地圧差の逆数を用いて上記指数で表した。指数は大きい方が接地圧差が小さく、バックリング抑制性能・効果が大きいことを示している。
【００４４】
実施例１−１０、従来例１、比較例１
凸状補強層の有無と該補強層の形状を種々変更し（実施例１−１０）、従来例（補強層なし）、比較例１（凹状補強層の使用）、比較例２（補強ゴムを使用せず）とも併せて、評価をした。凸状補強層は、ゴム含浸スチールコードあるいはスチール板から形成したものである。
【００４５】
各試験ランフラットタイヤの詳細、評価結果を表１に示した。
【００４６】
本発明にかかるランフラットタイヤは、乗心地性能とバックリング抑制性能の双方において良好な特性を示し、優れたランフラットタイヤであることがわかる。
【００４７】
【表１】
2013233866.tif 000003
【００４８】
【表２】
2013233866.tif 000004
【符号の説明】
【００４９】
１：トレッド部
２：サイドウォール部
３：ビード部
４：ビードコア
５：カーカス層
６：ビードフィラー
７：ベルト層（最外ベルト層）
８：ベルト層
９：タイヤ幅方向横断面が三日月状のサイド補強層
１０：周方向主溝
１１（１１Ａ、１１Ｂ）：凸状補強層
１２：ＣＡＰゴムよりもゴム硬度Ｈｓが小さいゴム
１３：スチールワイヤあるいはスチールコード
Ｔ：ランフラットタイヤ
Ｃ：タイヤ赤道面
Ｄ：タイヤ周方向
Ｐ：凸状補強層１１の頂点
Ｆ１：バックリングさせようとするタイヤ径方向の圧縮応力
Ｆ２：凸状補強層１１が元の曲率半径に戻ろうとする復元力
【図１】
2013233866.tif 000005
【図２】
2013233866.tif 000006
【図３】
2013233866.tif 000007
【図４】
2013233866.tif 000008
【図５】
2013233866.tif 000009